(57)【要約】【課題】キャリアアグリゲーションを行う移動通信システムにおいて、ユーザ装置がＣＡバンドコンビネーションの能力を基地局に通知する際の信号量を削減する。【解決手段】キャリアアグリゲーションに対応した移動通信システムにおけるユーザ装置において、前記ユーザ装置におけるキャリアアグリゲーションで使用可能な上りリンクのバンドと下りリンクのバンドの組み合わせを識別する組み合わせ識別情報を決定する通知制御部と、前記通知制御部により決定された組み合わせ識別情報を含むバンド組み合わせ情報を、前記移動通信システムにおける基地局に通知する送信部とを備える。【選択図】図７
2015173423.tif 000002
【特許請求の範囲】
【請求項１】
キャリアアグリゲーションに対応した移動通信システムにおけるユーザ装置であって、
前記ユーザ装置におけるキャリアアグリゲーションで使用可能な上りリンクのバンドと下りリンクのバンドの組み合わせを識別する組み合わせ識別情報を決定する通知制御部と、
前記通知制御部により決定された組み合わせ識別情報を含むバンド組み合わせ情報を、前記移動通信システムにおける基地局に通知する送信部と
を備えることを特徴とするユーザ装置。
【請求項２】
前記組み合わせ識別情報により識別される上りリンクのバンドと下りリンクのバンドの組み合わせは、ユーザ装置におけるキャリアグリゲーション機能の実装難易度に基づき定められた組み合わせである
ことを特徴とする請求項１に記載のユーザ装置。
【請求項３】
前記組み合わせ識別情報の有無は、所定長のビット列において、当該組み合わせ識別情報に対応するビット位置として予め定めたビット位置におけるビットの値により表わされる
ことを特徴とする請求項１又は２に記載のユーザ装置。
【請求項４】
前記送信部は、前記バンド組み合わせ情報として、前記ユーザ装置におけるキャリアアグリゲーションで使用可能なバンドの組み合わせのうちの最上位のバンドの組み合わせと、前記組み合わせ識別情報とを前記基地局に送信する
ことを特徴とする請求項１ないし３のうちいずれか１項に記載のユーザ装置。
【請求項５】
キャリアアグリゲーションに対応した移動通信システムにおける基地局であって、
ユーザ装置から、キャリアアグリゲーションにおける上りリンクのバンドと下りリンクのバンドの組み合わせを識別する組み合わせ識別情報を含むバンド組み合わせ情報を受信する受信部と、
各組み合わせ識別情報と、上りリンクのバンドと下りリンクのバンドの組み合わせとを対応付けたテーブル情報を格納する格納部と、
前記受信部により受信された前記バンド組み合わせ情報から前記組み合わせ識別情報を取得し、前記テーブル情報を参照することにより、当該組み合わせ識別情報に対応する上りリンクのバンドと下りリンクのバンドの組み合わせを判定する判定部と
を備えることを特徴とする基地局。
【請求項６】
前記組み合わせ識別情報により識別される上りリンクのバンドと下りリンクのバンドの組み合わせは、ユーザ装置におけるキャリアグリゲーション機能の実装難易度に基づき定められた組み合わせである
ことを特徴とする請求項５に記載の基地局。
【請求項７】
前記組み合わせ識別情報の有無は、所定長のビット列において、当該組み合わせ識別情報に対応するビット位置として予め定めたビット位置におけるビットの値により表わされる
ことを特徴とする請求項５又は６に記載の基地局。
【請求項８】
前記受信部は、前記バンド組み合わせ情報として、前記ユーザ装置におけるキャリアアグリゲーションで使用可能なバンドの組み合わせのうちの最上位のバンドの組み合わせと、前記組み合わせ識別情報とを前記ユーザ装置から受信する
ことを特徴とする請求項５ないし７のうちいずれか１項に記載の基地局。
【請求項９】
キャリアアグリゲーションに対応した移動通信システムにおけるユーザ装置が実行する情報通知方法であって、
前記ユーザ装置におけるキャリアアグリゲーションで使用可能な上りリンクのバンドと下りリンクのバンドの組み合わせを識別する組み合わせ識別情報を決定する通知制御ステップと、
前記通知制御ステップにより決定された組み合わせ識別情報を含むバンド組み合わせ情報を、前記移動通信システムにおける基地局に通知する送信ステップと
を備えることを特徴とする情報通知方法。
【請求項１０】
キャリアアグリゲーションに対応した移動通信システムにおける基地局が実行する情報受信方法であって、
ユーザ装置から、キャリアアグリゲーションにおける上りリンクのバンドと下りリンクのバンドの組み合わせを識別する組み合わせ識別情報を含むバンド組み合わせ情報を受信する受信ステップと、
前記受信ステップにより受信された前記バンド組み合わせ情報から前記組み合わせ識別情報を取得し、各組み合わせ識別情報と、上りリンクのバンドと下りリンクのバンドの組み合わせとを対応付けたテーブル情報を参照することにより、前記受信した組み合わせ識別情報に対応する上りリンクのバンドと下りリンクのバンドの組み合わせを判定する判定ステップと
を備えることを特徴とする情報受信方法。
【発明の詳細な説明】
【技術分野】
【０００１】
本発明は、ＬＴＥ等の移動通信システムにおけるユーザ装置ＵＥが、基地局ｅＮＢに自身の能力情報を通知する技術に関連するものである。
【背景技術】
【０００２】
ＬＴＥ−Ａｄｖａｎｃｅｄでは、ＬＴＥとのバックワードコンパチビリティを保ちつつ、ＬＴＥを上回るスループットを実現するために、ＬＴＥでサポートされている帯域幅（最大２０ＭＨｚ）を基本単位として、複数のキャリアを同時に用いて通信を行うキャリアアグリゲーション（ＣＡ：Ｃａｒｒｉｅｒ  Ａｇｇｒｅｇａｔｉｏｎ）が採用されている。キャリアアグリゲーションにおいて基本単位となるキャリアはコンポーネントキャリア（ＣＣ：Ｃｏｍｐｏｎｅｎｔ  Ｃａｒｒｉｅｒ）と呼ばれる。
【０００３】
キャリアアグリゲーションは、ＣＣの周波数配置により図１（ａ）〜（ｃ）に示すように３つのシナリオに分類される。図１（ａ）は、Ｉｎｔｒａ−ｂａｎｄ  ｃｏｎｔｉｇｕｏｕｓ  ＣＡであり、バンド内で連続するＣＣを配置するシナリオである。このシナリオは、例えば、３．５ＧＨｚ帯のような広帯域の割当てが行われる場合に適用される。図１（ｂ）は、Ｉｎｔｅｒ−ｂａｎｄ  ｎｏｎ−ｃｏｎｔｉｇｕｏｕｓ  ＣＡであり、異なるバンドのＣＣを複数配置するシナリオである。このシナリオは、例えば、２ＧＨｚ帯と１．５ＧＨｚ帯等の複数のキャリアを用いて通信を行う場合に適用される。図１（ｃ）は、Ｉｎｔｒａ−ｂａｎｄ  ｎｏｎ−ｃｏｎｔｉｇｕｏｕｓ  ＣＡであり、同じバンド内で非連続なＣＣを配置するシナリオである。このシナリオは、例えば、事業者への周波数帯域の割当てが断片的である場合等に適用される。本願では特に図１（ｂ）に示す異なるバンドのＣＣを複数配置するシナリオに着目している。
【０００４】
一方、ＬＴＥ（ＬＴＥ−Ａｄｖａｎｃｅｄを含む）システムにおいては、ユーザ装置ＵＥは、例えばネットワークへの接続時等に、自身の能力（Ｃａｐａｂｉｌｉｔｙ）を所定のシグナリングメッセージ（ＵＥ−ＥＵＴＲＡ−Ｃａｐａｂｉｌｉｔｙ）で基地局ｅＮＢに通知することが規定されている（非特許文献１）。
【先行技術文献】
【非特許文献】
【０００５】
【非特許文献１】３ＧＰＰ  ＴＳ  ３６．３３１  Ｖ１１．５．０  （２０１３−０９）
【発明の概要】
【発明が解決しようとする課題】
【０００６】
現状、ＬＴＥ−Ａｄｖａｎｃｅｄでは、周波数バンドの組み合わせにおいて、アグリゲートに使用できる周波数帯域幅や、最大アグリゲート帯域幅等を定めたＣＡコンフィギュレーション（ＣＡ  ｃｏｎｆｉｇｕｒａｔｉｏｎ）が規定されている。図２に、バンド１とバンド３のＣＡコンフィギュレーション（１Ａ＿３Ａ）の例を示す。図中の「Ａ」は、ＣＡ  ｂａｎｄｗｉｄｔｈｃｌａｓｓであり、アグリゲート可能な帯域幅、ＣＣ数を示すものである。以下、便宜上、各バンドにおけるＣＡ  ｂａｎｄｗｉｄｔｈｃｌａｓｓは「Ａ」であるとする。
【０００７】
ここで、上りリンク（ＵＬ）に１バンド、下りリンク（ＤＬ）に２バンドを使用する場合において、バンド１とバンド３のＣＡコンフィギュレーションでは、ＵＬのバンドとＤＬのバンドの組み合わせに関して、以下の３つのＯｐｔｉｏｎがある。
【０００８】
Ｏｐｔｉｏｎ１：（ＵＬ、ＤＬ）＝（１、１＋３）、（３、１＋３）
Ｏｐｔｉｏｎ２：（ＵＬ、ＤＬ）＝（１、１＋３）
Ｏｐｔｉｏｎ３：（ＵＬ、ＤＬ）＝（３、１＋３）
例えば、「（ＵＬ、ＤＬ）＝（１、１＋３）」は、ＵＬにバンド１を使用するとともに、ＤＬでバンド１とバンド３のＣＡを行うことが可能であることを意味する。
【０００９】
ここで、ユーザ装置ＵＥが、「１Ａ＿３Ａというバンド１とバンド３のＣＡコンフィギュレーションをサポートする」場合、Ｏｐｔｉｏｎ２若しくは３のうちのいずれかをサポートしていればよい、という考えと、Ｏｐｔｉｏｎ１をサポートすることが要求される、という２つの考えがある。
【００１０】
ここで、Ｏｐｔｉｏｎ１とＯｐｔｉｏｎ２に存在する（１、１＋３）におけるバンド（Ｂ）の配置例を図３（ａ）に示す。図３（ａ）に示すように、この場合、Ｂ１側の送信ノイズがＢ３の受信に漏れこむ。Ｑｕａｄｐｌｅｘｅｒにおいて、Ｂ１  ＴＸは、Ｂ３  ＲＸに対して十分なアイソレーション確保が必要であるが、ＧＡＰが４０ＭＨｚしか存在せず、このような漏れこみを十分に抑圧することが困難である。更に、Ｂ３  ＤＬ観点では、Ｂ１  ＵＬはブロッカーとなるため、この信号を落とすためにＢ３  ＲＸは、Ｂ１  ＴＸに対して十分なアイソレーション確保が必要であるが、ＧＡＰが４０ＭＨｚしかない。すなわち、（１、１＋３）の組み合わせは実装難易度が高い。
【００１１】
次に、Ｏｐｔｉｏｎ１とＯｐｔｉｏｎ３に存在する（３、１＋３）におけるバンドの配置を図３（ｂ）に示す。この場合、Ｂ３側の送信信号のノイズは、Ｂ３  ＲＸに達する前に十分に落とされている。更に、Ｂ１  ＤＬ観点では、Ｂ３  ＵＬはブロッカーとなるが、ＧＡＰが２００ＭＨｚ弱ある。従って、（３、１＋３）の組み合わせの実装難易度は低い。
【００１２】
上記の点から、特にＯｐｔｉｏｎ１：（ＵＬ、ＤＬ）＝（１、１＋３）、（３、１＋３）の場合、上記の２つ（図３（ａ）、（ｂ））を同時に実現する実装が求められるためアナログ観点での実装難易度が高い。また、試験工数も増加する。
【００１３】
Ｏｐｔｉｏｎ１とＯｐｔｉｏｎ２を比べると、両方ともＯｐｔｉｏｎ３よりも無線特性が悪い点では共通し、実装難易度が高い点でも共通するが、Ｏｐｔｉｏｎ１は、ＣＡ時にＢ１でもＢ３でも送信可能であるため、Ｏｐｔｉｏｎ２よりも運用自由度は高い。また、Ｏｐｔｉｏｎ３は、Ｂ３でしか送信できない点で、運用自由度は低いが、無線特性は良い。このようなキャリアグリゲーション機能の実装難易度の観点から、ユーザ装置ＵＥの実装は、Ｏｐｔｉｏｎ１のバンドの組み合わせ又はＯｐｔｉｏｎ３のバンドの組み合わせが選択されることが考えられる。
【００１４】
現状、各事業者にとって、Ｏｐｔｉｏｎ１がｍａｎｄａｔｏｒｙかどうかが明確ではない。仮に、Ｏｐｔｉｏｎ１がｍａｎｄａｔｏｒｙであるとすると、Ｏｐｔｉｏｎ３のように、多少運用自由度は低減するが、実装が容易であり、無線特性を維持するような選択肢がなくなってしまう可能性がある。なお、現状の規定は、Ｏｐｔｉｏｎ１を前提として無線特性の緩和値が規定されている。つまり、Ｏｐｔｉｏｎ３の実装を行った際には過度な緩和を許容していることになる。
【００１５】
一方、ユーザ装置ＵＥは、自身がＵＬ及びＤＬにおいてサポートするバンドの組み合わせ（ＣＡバンドコンビネーション、ＣＡ  ｂａｎｄ  ｃｏｍｂｉｎａｔｉｏｎ）を基地局ｅＮＢに通知する。ユーザ装置ＵＥが複数種類のＣＡバンドコンビネーションに対応できる場合、ユーザ装置ＵＥは、ＵＬ／ＤＬ個別に、対応する全てのＣＡバンドコンビネーションのパターンを基地局ｅＮＢに通知するように現状は規定されている。
【００１６】
ユーザ装置ＵＥが最大で３ＤＬ／３ＵＬ  ＣＡにまで対応している場合に通知するＣＡバンドコンビネーションの例を図４に示す。最大のＣＡ能力である３ＤＬ／３ＵＬよりも低い（ＤＬ、ＵＬのいずれか又は両方でＣＣ数が小さい）ＣＡバンドコンビネーションを３ＤＬ／３ＵＬのサブセット（Ｓｕｂｓｅｔ）と呼ぶ。図４の例では、ユーザ装置ＵＥは、３ＤＬ／３ＵＬとともに、その全てのサブセットに対応しているため、合計で１９個のＣＡバンドコンビネーションに相当する情報を基地局ｅＮＢに通知しなければならない。このように、従来技術では、ユーザ装置ＵＥは、自身が対応しているＣＡバンドコンビネーションを全て通知しなければならないため、アグリゲートするＣＣ数が増加するにつれて、通知するＣＡバンドコンビネーションの数が増加し、シグナリングのための信号量（情報量）が増加してしまうという課題がある。
【００１７】
本発明は上記の点に鑑みてなされたものであり、キャリアアグリゲーションを行う移動通信システムにおいて、ＣＡバンドコンビネーションの能力を基地局に通知する際の信号量を削減する技術を提供することを目的とする。また、本発明は、上述した実装難易度に関連した一実施形態において、ユーザ装置におけるキャリアアグリゲーション機能の実装難易度を考慮しつつ、ＣＡバンドコンビネーションの能力を基地局に通知する際の信号量を削減する技術を提供することを目的としている。
【課題を解決するための手段】
【００１８】
本発明の実施の形態によれば、キャリアアグリゲーションに対応した移動通信システムにおけるユーザ装置であって、
前記ユーザ装置におけるキャリアアグリゲーションで使用可能な上りリンクのバンドと下りリンクのバンドの組み合わせを識別する組み合わせ識別情報を決定する通知制御部と、
前記通知制御部により決定された組み合わせ識別情報を含むバンド組み合わせ情報を、前記移動通信システムにおける基地局に通知する送信部とを備えるユーザ装置が提供される。
【００１９】
また、本発明の実施の形態によれば、キャリアアグリゲーションに対応した移動通信システムにおける基地局であって、
ユーザ装置から、キャリアアグリゲーションにおける上りリンクのバンドと下りリンクのバンドの組み合わせを識別する組み合わせ識別情報を含むバンド組み合わせ情報を受信する受信部と、
各組み合わせ識別情報と、上りリンクのバンドと下りリンクのバンドの組み合わせとを対応付けたテーブル情報を格納する格納部と、
前記受信部により受信された前記バンド組み合わせ情報から前記組み合わせ識別情報を取得し、前記テーブル情報を参照することにより、当該組み合わせ識別情報に対応する上りリンクのバンドと下りリンクのバンドの組み合わせを判定する判定部とを備える基地局が提供される。
【００２０】
また、本発明の実施の形態によれば、キャリアアグリゲーションに対応した移動通信システムにおけるユーザ装置が実行する情報通知方法であって、
前記ユーザ装置におけるキャリアアグリゲーションで使用可能な上りリンクのバンドと下りリンクのバンドの組み合わせを識別する組み合わせ識別情報を決定する通知制御ステップと、
前記通知制御ステップにより決定された組み合わせ識別情報を含むバンド組み合わせ情報を、前記移動通信システムにおける基地局に通知する送信ステップとを備える情報通知方法が提供される。
【００２１】
また、本発明の実施の形態によれば、キャリアアグリゲーションに対応した移動通信システムにおける基地局が実行する情報受信方法であって、
ユーザ装置から、キャリアアグリゲーションにおける上りリンクのバンドと下りリンクのバンドの組み合わせを識別する組み合わせ識別情報を含むバンド組み合わせ情報を受信する受信ステップと、
前記受信ステップにより受信された前記バンド組み合わせ情報から前記組み合わせ識別情報を取得し、各組み合わせ識別情報と、上りリンクのバンドと下りリンクのバンドの組み合わせとを対応付けたテーブル情報を参照することにより、前記受信した組み合わせ識別情報に対応する上りリンクのバンドと下りリンクのバンドの組み合わせを判定する判定ステップとを備える情報受信方法が提供される。
【発明の効果】
【００２２】
本発明の実施の形態によれば、キャリアアグリゲーションを行う移動通信システムにおいて、ユーザ装置がＣＡバンドコンビネーションの能力を基地局に通知する際の信号量を削減することが可能となる。
【００２３】
また、本発明の実施の形態において、組み合わせ識別情報により識別される上りリンクのバンドと下りリンクのバンドの組み合わせを、ユーザ装置におけるキャリアグリゲーション機能の実装難易度に基づき定めることで、ユーザ装置におけるキャリアアグリゲーション機能の実装難易度を考慮しつつ、ＣＡバンドコンビネーションの能力を基地局に通知する際の信号量を削減する技術を提供できる。
【図面の簡単な説明】
【００２４】
【図１】キャリアアグリゲーションの周波数配置例を示す図である。
【図２】ＣＡコンフィギュレーションの例を示す図である。
【図３】ＣＡコンフィギュレーションにおける実装難易度を説明するための図である。
【図４】３ＤＬ／３ＵＬを最上位とするＣＡバンドコンビネーションの例を示す図である。
【図５】本発明の実施の形態に係る通信システムの構成図である。
【図６】本発明の実施の形態に係る通信システムの動作を示すシーケンス図である。
【図７】１ＵＬ／２ＤＬ  ＣＡの場合におけるコンビネーションセットの例を示す図である。
【図８】１ＵＬ／３ＤＬ  ＣＡの場合におけるコンビネーションセットの例を示す図である。
【図９】１ＵＬ／２ＤＬ  ＣＡの場合におけるコンビネーションセットの例を示す図である。
【図１０】ＵＥ能力を通知する情報要素の例を示す図である。
【図１１】本発明の実施の形態に係るユーザ装置ＵＥの機能構成図である。
【図１２】ユーザ装置ＵＥの動作を示すフローチャートである。
【図１３】本発明の実施の形態に係る基地局ｅＮＢの機能構成図である。
【図１４】基地局ｅＮＢの動作を示すフローチャートである。
【図１５】変形例１におけるユーザ装置ＵＥの動作を示すフローチャートである。
【図１６】変形例２における基地局ｅＮＢの動作を示すフローチャートである。
【図１７】変形例２におけるシーケンス図である。
【発明を実施するための形態】
【００２５】
以下、図面を参照して本発明の実施の形態を説明する。なお、以下で説明する実施の形態は一例に過ぎず、本発明が適用される実施の形態は、以下の実施の形態に限られるわけではない。例えば、本実施の形態の通信システムは、ＬＴＥ−Ａｄｖａｎｃｅｄを含むＬＴＥに対応していることを想定しているが、本発明はＬＴＥに限らず、ＣＡを行う他の方式にも適用可能である。以下、特に断らない限り、「ＬＴＥ」は、ＬＴＥ−Ａｄｖａｎｃｅｄを含む意味で使用する。また、以下、バンドの組み合わせを意図する場合は主に「ＣＡバンドコンビネーション」を用い、メッセージで運ばれる情報を意図する場合は主に「ＣＡバンドコンビネーション情報」、「ＣＡバンドコンビネーションの情報」等を用いる。
【００２６】
（システム全体構成、動作例）
図５に本発明の実施の形態に係る通信システムの構成図を示す。本実施の形態に係る通信システムは、ＬＴＥ方式の通信システムであり、図５に示すように、ユーザ装置ＵＥ、及び基地局ｅＮＢを含む。ユーザ装置ＵＥ、及び基地局ｅＮＢは、ＣＡを行うことが可能である。図５には、ユーザ装置ＵＥ、及び基地局ｅＮＢが１つずつ示されているが、これは例であり、それぞれ複数であってもよい。また、ユーザ装置ＵＥは、複数の基地局ｅＮＢと同時に通信を行う能力（Ｄｕａｌ  Ｃｏｎｎｅｃｔｉｖｉｔｙ）を備えていてもよい。
【００２７】
本実施の形態において、図６に示すように、ユーザ装置ＵＥは、基地局ｅＮＢに対してＣＡ能力情報としてＣＡバンドコンビネーション情報を所定のメッセージ（情報要素）を用いて送信する。
【００２８】
例えばユーザ装置ＵＥが、図４に示すＣＡバンドコンビネーションＮｏ．１〜１９の全てに対応している場合、従来技術においては、図６に示すＣＡバンドコンビネーション情報として、図４に示す全ての組み合わせ（Ｎｏ．１〜１９）の情報を送ることとしていたが、本実施の形態では、以下に説明するように、ＵＬ／ＤＬにおけるバンドの組み合わせを、ＣＡ時の送信受信機能（キャリアグリゲーション機能の実装難易度）に応じてグループ化して定義し、当該グループを示す情報を通知することとしている。本実施の形態では、当該グループをＣＡコンフィギュレーションコンビネーションセット（ＣＡ  ｃｏｎｆｉｇｕｒａｔｉｏｎ  ｃｏｍｂｉｎａｔｉｏｎ  ｓｅｔ）あるいはＣＡコンフィギュレーションセット（ＣＡ  ｃｏｎｆｉｇｕｒａｔｉｏｎ  ｓｅｔ）と呼ぶ。ただし、以下では、便宜上、これを「コンビネーションセット」と呼ぶことにする。以下、コンビネーションセットの例を説明する。
【００２９】
（コンビネーションセットの例）
図７に、バンド１とバンド３からなるＣＡコンフィギュレーション１Ａ＿３Ａについての１ＵＬ／２ＤＬ  ＣＡの場合におけるコンビネーションセットの例を示す。
【００３０】
図７において、例えば、バンドＸのＴｘの欄がＹｅｓであれば、バンドＸでのＵＬ送信をサポートすることを示す。従って、図７の例において、コンビネーションセット０は、「（ＵＬ、ＤＬ）＝（１、１＋３）、（３、１＋３）」を意味する。また、コンビネーションセット１は、「（ＵＬ、ＤＬ）＝（３、１＋３）」を意味する。
【００３１】
つまり、図７におけるコンビネーションセット０は、前述したＯｐｔｉｏｎ１に対応し、コンビネーションセット１は、前述したＯｐｔｉｏｎ３に対応する。
【００３２】
図７に示すように、ＣＡコンフィギュレーション１Ａ＿３Ａにおけるコンビネーションセット０、１の定義がされる場合、無線特性仕様は１Ａ＿３Ａのコンビネーションセット０向けとコンビネーションセット１向け各々独立に規定される。コンビネーションセット０の場合、ＣＡ時の無線特性はバンド１あるいはバンド３の送信を加味したものとなり、前述した実装困難性から、コンビネーションセット１より緩和された無線特性となることが想定される。また、コンビネーションセット０におけるＣＡ時の無線特性はバンド３のみの送信を加味したものとなるため、緩和量はコンビネーションセット０より小さいものになると想定される。
【００３３】
ＣＡコンフィギュレーション毎にコンビネーションセットを定義し、それを基地局ｅＮＢに通知するよう規定することで、例えば、「ユーザ装置ＵＥは１Ａ＿３ＡのＣＡコンフィグレーションにおけるコンビネーション０をサポートする」と称することができ、「ユーザ装置ＵＥは１Ａ＿３ＡのＣＡコンフィグレーションをサポートする」と称する場合に生じていたあいまいさを回避できる。
【００３４】
また、ユーザ装置ＵＥのＣＡ対応数やＣＣ数が増加するほど一般には無線特性が劣化していくが、上記のようにＣＡコンフィギュレーションにおけるコンビネーションセットを定義することで、多少の制約と引き換えに無線特性を維持可能で実装も容易とすることができる。つまり、無線特性が良く実装の容易なコンビネーションセットを定義し、その他のコンビネーションセットの実装を強制しないことで、多少の制約と引き換えに無線特性を維持可能で実装も容易とすることができる。
【００３５】
上記の例は２ＣＣのＣＡであるが、ＣＣ数が増加して、例えば３ＣＣとなった場合、３ＤＬ  ＣＡを実現しつつ、運用制約を設けることで無線特性を大幅に改善する余地は存在する。この点は、特に周波数を低周波、高周波に万遍なく持つ事業者に有効である。
【００３６】
ここでは、具体例として、ＣＡ＿１Ａ＿３Ａ＿１９Ａを考える。ユーザ装置ＵＥにおいて、一般には、ｌｏｗ（１ＧＨｚ未満）／ｈｉｇｈ（１．７−２．７ＧＨｚ）でアイソレーションを補完するＤｉｐｌｅｘｅｒが実装されている。従って、ＣＡ＿１Ａ＿３Ａの実装を強制しなければ、下記のＣＡを既存のＩｎｔｅｒ  ｂａｎｄ  ＣＡ（ｈｉｇｈ／ｌｏｗ）よりも無線特性を劣化させずに実現可能である。
【００３７】
つまり、ＣＡ＿１Ａ＿３Ａ＿１９Ａにおいて、「（ＵＬ、ＤＬ）＝（１、１＋３）、（３、１＋３）、（１、１＋３＋１９）、（３、１＋３＋１９）」を強制しないこととして、「（ＵＬ、ＤＬ）＝（１９、１＋１９）、（１９、３＋１９）、（１９、１＋３＋１９）、（１、１＋１９）、（３、３＋１９）」を無線特性を劣化させずに実現可能とする。対応するＣＡ数、ＣＣ数が増えれば、制約も増えるが選択肢は確実に増える、一方で実装は容易なままである。
【００３８】
３ＣＣあるいはＣＣ数が３つ以上の場合も、コンビネーションセットの考えはＣＣ数が２の場合と同様であり、実装難易度を考慮して、ＵＬ／ＤＬのバンドの組み合わせをコンビネーションセットとして定義すればよい。
【００３９】
（ＣＡバンドコンビネーション情報の通知について）
前述したとおり、従来技術では、ユーザ装置ＵＥがサポートするＵＬ／ＤＬの全てのバンドの組み合わせを基地局ｅＮＢに通知するために、バンド数が増加すると、能力通知の信号量が増加するという問題があった。本実施の形態では、上記のようにして定義したコンビネーションセットをビット情報として送信することで、信号量を削減している。
【００４０】
すなわち、図７に示すコンビネーションセットの例で考えると、例えば、ユーザ装置ＵＥは、自身のＣＡバンドコンビネーションの情報として、「バンド１と３の１ＵＬ／２ＤＬ」かつ「コンビネーションセット０」（又は「コンビネーションセット１」）に対応していることを示す情報を保持している。また、基地局ｅＮＢは、図７に示すテーブルを保持している。
【００４１】
そして、ユーザ装置ＵＥは、バンドの組み合わせとしてバンド１と３の１ＵＬ／２ＤＬをサポートしていることを示す情報（最上位のバンドの組み合わせを示す情報）と、コンビネーションセット０（又はコンビネーションセット１）を示す情報（ビット）をＣＡバンドコンビネーション情報として基地局ｅＮＢに送信する。なお、ここでの「最上位のバンドの組み合わせを示す情報」は、バンド１と３をサポートし、ＵＬが１バンドであるという情報でもよいし、他の情報でもよい。
【００４２】
ユーザ装置ＵＥが「コンビネーションセット０」を送信した場合において、基地局ｅＮＢは、１Ａ＿３Ａに対応するテーブル（図７）を参照して、ユーザ装置ＵＥから受信した「コンビネーションセット０」に基づき、ユーザ装置ＵＥは、（ＵＬ、ＤＬ）＝（１、１＋３）、（３、１＋３）をサポートしていると判断する。この例では、バンド１、３はＵＬとＤＬに対応しているので、基地局ｅＮＢにおいて、ユーザ装置ＵＥは、バンド１とバンド３のいずれもプライマリセルとして動作させることが可能であると判断できる。
【００４３】
また、ユーザ装置ＵＥが「コンビネーションセット１」を送信した場合において、基地局ｅＮＢは、１Ａ＿３Ａに対応するテーブル（図７）を参照して、ユーザ装置ＵＥから受信した「コンビネーションセット１」に基づき、ユーザ装置ＵＥは、（ＵＬ、ＤＬ）＝（３、１＋３）をサポートしていると判断する。この場合、基地局ｅＮＢにおいて、ユーザ装置ＵＥは、バンド３のみをプライマリセルとして動作させることが可能であると判断できる。
【００４４】
上記の「コンビネーションセット０」の例において、ユーザ装置ＵＥは、従来であれば（ＵＬ、ＤＬ）＝（１、１＋３）の内容を示す情報と、（ＵＬ、ＤＬ）＝（３、１＋３）の内容を示す情報をＣＡバンドコンビネーション情報として通知する必要があったが、本実施の形態では、「コンビネーションセット０」を示すビットを送信すればよいので、シグナリングの信号量を削減することができる。特に、１つのコンビネーションセットに含まれる（ＵＬ、ＤＬ）の組み合わせ数が大きくなるほど、信号削減効果は大きくなる。
【００４５】
なお、図７の例は、コンビネーションセットが０と１だけであるが、更なる組み合わせを定義して、コンビネーションセット２、３等を設けてもよい。
【００４６】
次に、上記の場合よりもＣＣ数が多い場合の例として、３つのバンドを用いた１ＵＬ／３ＤＬ  ＣＡの例を説明する。この場合、ユーザ装置ＵＥがサポートする最上位のバンドコンビネーションが１ＵＬ／３ＤＬであるとする。
【００４７】
本例では、使用するバンドはバンド１９、バンド２１、バンド２８である。そして、本例では、通知するＣＡバンドコンビネーション情報において、最上位のバンドコンビネーション（１ＵＬ／３ＤＬ）の内容を示す情報が含まれる。つまり、ユーザ装置ＵＥは、まず最上位のＣＡバンドコンビネーション（１ＵＬ／３ＤＬ）を示す情報を基地局ｅＮＢに通知する。当該最上位のＣＡバンドコンビネーションを示す情報は、例えば、仮にバンド１９のみをＵＬに使用する場合においては、（ＵＬ、ＤＬ）＝（１９、１９＋２１＋２８）に相当する情報である。
【００４８】
そして、本実施の形態では、ユーザ装置ＵＥは、上記の最上位のＣＡバンドコンビネーションの情報に加えて、図８、図９に示すテーブルにおいて定義されるコンビネーションセットの情報（ビット）を基地局ｅＮＢに通知する。
【００４９】
図８は、バンド１９、バンド２１、バンド２８を使用するＣＡコンフィギュレーション（１９Ａ＿２１Ａ＿２８Ａ）におけるコンビネーションセットを定義している。図８に示すように、コンビネーションセットが０である場合には、ユーザ装置ＵＥは、その下位（サブセット）となる２つのバンドのいずれの組み合わせもサポートしていることを示す。すなわち、図８において「Ｙｅｓ」と記載されているとおり、コンビネーションセットが０である場合、バンド１９と２１の組、バンド１９と２８の組、及びバンド２１と２８の組のいずれもサポートしていることを示す。また、図８の例において、コンビネーションセットが１である場合、バンド１９と２１の組、及びバンド２１と２８の組をサポートするが、バンド１９と２８の組はサポートしないことを示す。
【００５０】
そして、図８における各組に対するコンビネーションセット（ｓｅｔ）については図９のテーブルで定義される。
【００５１】
図９に示すように、例えば、バンド１９と２１の組におけるコンビネーションセット０は、「（ＵＬ、ＤＬ）＝（１９、１９＋２１）、（２１、１９＋２１）」をサポートすることを意味する。他の組についても同様である。
【００５２】
すなわち、ユーザ装置ＵＥが、最上位のＣＡバンドコンビネーションとしての「１ＵＬ／３ＤＬ」を示す情報に加えて、コンビネーションセット０に該当する情報（ビット）を基地局ｅＮＢに送信した場合、基地局ｅＮＢは、図８、図９のテーブルに基づき、ユーザ装置ＵＥが、１ＵＬ／２ＤＬ  ＣＡのＣＡコンフィギュレーションＡ＿Ｂ、Ａ＿Ｃ、Ｂ＿Ｃのｓｅｔ０に各々対応していると判断する。
【００５３】
また、ユーザ装置ＵＥが、最上位のＣＡバンドコンビネーションとしての「１ＵＬ／３ＤＬ」を示す情報に加えて、コンビネーションセット１に該当する情報（ビット）を基地局ｅＮＢに送信した場合、基地局ｅＮＢは、図８、図９のテーブルに基づき、ユーザ装置ＵＥが、１ＵＬ／２ＤＬ  ＣＡのＣＡコンフィギュレーションＡ＿Ｂ、Ｂ＿Ｃのｓｅｔ０に各々対応しているが、１ＵＬ／２ＤＬ  ＣＡのＡ＿Ｃに対応していないと判断する。
【００５４】
ユーザ装置ＵＥが基地局ｅＮＢに通知する具体的なメッセージの内容としては、例えば、ＣＡバンドコンビネーション（例：上記の（ＵＬ、ＤＬ）＝（１９、１９＋２１＋２８））毎に、所定のビット長（例：３２ビット長）の情報要素を追加し、当該情報要素にコンビネーションセットの情報を含める。
【００５５】
どのビットにどの情報の意味を持たせるかは任意に定義してよいが、例えば、図７に示したように最上位のＣＡバンドコンビネーションが１ＵＬ／２ＤＬの例において、３２ビットのうちの最も左側のビット（０（無）ｏｒ  １（有））が、コンビネーションセット０の有無を示し、次のビットがコンビネーションセット１の有無を示す、といったように定義することができる。
【００５６】
また、例えば、図８、図９に示したように最上位のＣＡバンドコンビネーションが１ＵＬ／３ＤＬの例においても同様に、３２ビットのうちの最も左側のビット（０ｏｒ１）が、コンビネーションセット０の有無を示し、次のビットがコンビネーションセット１の有無を示す、のように定義することができる。より一般的には、例えば、ビットの位置を左から０、１、２、３、...と定義した場合において、ビットＮがコンビネーションセットＮの有無を表す。
【００５７】
図１０に、ＣＡバンドコンビネーションの情報を通知するメッセージの例を示す。図１０において、「ＢａｎｄＣｏｍｂｉｎａｔｉｏｎＰａｒａｍｅｔｅｒｓ」により、最上位のＣＡバンドコンビネーションを通知するとともに、上記３２ビットの情報である「ｓｕｐｐｏｒｔｅｄＣＡ−ＣｏｎｆｉｇｕｒａｔｉｏｎＳｅｔ」を通知する。
【００５８】
なお、ＣＡバンドコンビネーション情報を受信した基地局ｅＮＢは、その後、例えば、ユーザ装置ＵＥのＣＣ毎の通信品質等に基づいて、ユーザ装置ＵＥがサポートするＣＡコンビネーションの中からどのＣＡコンビネーションを適用するかを決定し、決定したＣＡコンビネーションをユーザ装置ＵＥに通知する（コンフィギュアする）等の動作を行う。
【００５９】
また、上記の例では、図７〜図９に示すようなコンビネーションセットの定義の例を示したが、これらは一例である。これら以外にも、例えば、図４における、Ｎｏ．１１、１２、１３を１つのコンビネーションセットに割り当てるといった定義の方法も採用することが可能である。
【００６０】
ただし、本実施の形態におけるコンビネーションセットの定義においては、前述したように、ユーザ装置ＵＥにおけるキャリアグリゲーション機能の実装難易度を考慮して、例えば、使用できるバンドの制約は大きいが、無線特性が良く、実装も容易なコンビネーションセットと、使用できるバンドの制約が少ないコンビネーションセット等を設ける。
【００６１】
（装置構成、処理フロー）
＜ユーザ装置ＵＥ＞
図１１に、本実施の形態におけるユーザ装置ＵＥの機能構成図を示す。図１１に示すように、ユーザ装置ＵＥは、ＤＬ信号受信部１０１、ＵＬ信号送信部１０２、ＵＥ能力情報格納部１０３、ＵＥ能力情報通知制御部１０４、ＣＡ制御部１０５を備える。なお、図１１は、ユーザ装置ＵＥにおいて本発明に特に関連する機能部のみを示すものであり、少なくともＬＴＥに準拠した動作を行うための図示しない機能も有するものである。
【００６２】
ＤＬ信号受信部１０１は、基地局ｅＮＢから各種の下り信号を受信し、受信した物理レイヤの信号からより上位のレイヤの情報を取得する機能を含み、ＵＬ信号送信部１０２は、ユーザ装置ＵＥから送信されるべき上位のレイヤの情報から、物理レイヤの各種信号を生成し、基地局ｅＮＢに対して送信する機能を含む。
【００６３】
ＵＥ能力情報格納部１０３は、ユーザ装置ＵＥ自身がサポートしているＣＡバンドコンビネーションの情報を含むＵＥ能力情報を格納する。また、ＵＥ能力情報格納部１０３は、図７〜９に示したようなコンビネーションセットに関するテーブルを格納してもよい。
【００６４】
ＵＥ能力情報通知制御部１０４は、ＣＡバンドコンビネーション情報を基地局ｅＮＢに送信する場合に、ＵＥ能力情報格納部１０３を参照し、自身のＣＡバンドコンビネーション情報として、最上位のＣＡバンドコンビネーションに係る情報と、コンビネーションセットの情報（前述したビット情報）を決定し、決定されたＣＡバンドコンビネーション情報の送信をＵＬ信号送信部１０２に行わせる。ＵＬ信号送信部１０２は、ＣＡバンドコンビネーション情報を所定のメッセージに載せて、例えばＰＵＳＣＨ、ＰＵＣＣＨ等のチャネルで基地局ｅＮＢに送信する。
【００６５】
ＵＥ能力情報格納部１０３の中に、基地局ｅＮＢに送信するＣＡバンドコンビネーション情報とコンビネーションセットの情報を保持しておき、ＵＥ能力情報通知制御部１０４は当該情報を読み取ることで情報の送信を行ってもよいし、ＵＥ能力情報格納部１０３の中には、ユーザ装置ＵＥがサポートしているＣＡバンドコンビネーションの組み合わせ情報とテーブルを保持しておき、ＵＥ能力情報通知制御部１０４は、当該組み合わせの情報とテーブルから、コンビネーションセットを導出し、導出したコンビネーションセットの情報を含むＣＡバンドコンビネーション情報を基地局ｅＮＢに送信することとしてもよい。
【００６６】
ＣＡ制御部１０５は、ＣＡを構成しているＰＣｅｌｌ（ＰＣＣ）、ＳＣｅｌｌ（ＳＣＣ）の管理や、基地局ｅＮＢからの指示に基づくＳＣｅｌｌの追加／削除、Ａｃｔｉｖａｔｉｏｎ／Ｄｅａｃｔｉｖａｔｉｏｎ等のユーザ装置ＵＥにおけるＣＡに関する制御を行う。
【００６７】
次に、図１２に示すフローチャートを参照して、ユーザ装置ＵＥの動作例を説明する。図１２の例は、要求に基づき能力情報を送信する場合の例である。
【００６８】
ユーザ装置ＵＥは基地局ｅＮＢからＵＥ能力情報要求を受信する（ステップ１０１）。ユーザ装置ＵＥのＵＥ能力情報通知制御部１０４は、ＵＥ能力情報格納部１０３を参照して、基地局ｅＮＢに送信すべきＣＡバンドコンビネーション情報（コンビネーションセットを含む）を決定（取得することを含む）し、当該ＣＡバンドコンビネーション情報をＵＬ信号送受信部１０２により基地局ｅＮＢに通知する（ステップ１０２）。
【００６９】
なお、ユーザ装置ＵＥの機能構成は上記のものに限られるわけではなく、本実施の形態（変形例を含む）で説明する処理を実現できるいかなる構成を採用してもよい。例えば、ユーザ装置ＵＥとして使用できるユーザ装置は、キャリアアグリゲーションに対応した移動通信システムにおけるユーザ装置であって、前記ユーザ装置におけるキャリアアグリゲーションで使用可能な上りリンクのバンドと下りリンクのバンドの組み合わせを識別する組み合わせ識別情報を決定する通知制御部と、前記通知制御部により決定された組み合わせ識別情報を含むバンド組み合わせ情報を、前記移動通信システムにおける基地局に通知する送信部とを備えるユーザ装置として構成することができる。
【００７０】
前記組み合わせ識別情報により識別される上りリンクのバンドと下りリンクのバンドの組み合わせは、ユーザ装置におけるキャリアグリゲーション機能の実装難易度に基づき定められた組み合わせである。このような構成により、ユーザ装置におけるキャリアアグリゲーション機能の実装難易度を低減するような組み合わせ識別情報を使用して、ＣＡバンドコンビネーションの能力を基地局に通知する際の信号量を削減することができるようになる。
【００７１】
前記組み合わせ識別情報の有無は、例えば、所定長のビット列において、当該組み合わせ識別情報に対応するビット位置として予め定めたビット位置におけるビットの値により表わされる。このような情報表現を用いることで、少ない情報量で情報を通知でき、信号量を削減できる。
【００７２】
前記送信部は、前記バンド組み合わせ情報として、前記ユーザ装置におけるキャリアアグリゲーションで使用可能なバンドの組み合わせのうちの最上位のバンドの組み合わせと、前記組み合わせ識別情報とを前記基地局に送信する。このような構成により、ＣＡバンドコンビネーションの通知のための信号量を削減できる。
【００７３】
＜基地局ｅＮＢ＞
図１３に、本実施の形態における基地局ｅＮＢの機能構成図を示す。図１３に示すように、基地局ｅＮＢは、ＤＬ信号送信部２０１、ＵＬ信号受信部２０２、ＣＡバンドコンビネーション情報格納部２０３、ＵＥ能力判定部２０４を有する。なお、図１３は、基地局ｅＮＢにおいて本発明の実施の形態に特に関連する機能部のみを示すものであり、少なくともＬＴＥ方式に準拠した動作を行うための図示しない機能も有するものである。
【００７４】
ＤＬ信号送信部２０１は、基地局ｅＮＢから送信されるべき上位のレイヤの情報から、物理レイヤの各種信号を生成し、ユーザ装置ＵＥに対して送信する機能を含む。ＵＬ信号受信部２０２は、ユーザ装置ＵＥから各種の上り信号を受信し、受信した物理レイヤの信号からより上位のレイヤの情報を取得する機能を含む。
【００７５】
ＣＡバンドコンビネーション情報格納部２０３は、ＣＡバンドコンビネーション毎に、図７〜９に示すようなコンビネーションセットの定義を示すテーブルを格納する。「ＣＡバンドコンビネーション毎」における「ＣＡバンドコンビネーション」とは、例えば、図４に示すＮｏ．１、２等の各番号で示すようなＵＬ／ＤＬの具体的なＣＡバンドコンビネーションであってもよいし、ＣＡコンフィギュレーション（バンド１９とバンド２１とバンド２８を用いる等）の情報と、ＵＬとＤＬのそれぞれのバンド数の情報（例：１ＵＬ／３ＤＬ）であってもよい。
【００７６】
一例として、図８に示すコンビネーションセットのテーブルは、「ＣＡコンフィグレーション１９Ａ＿２１＿２８Ａにおける１ＵＬ／３ＤＬ」というＣＡバンドコンビネーションに対して定義されたテーブルであると考えることができる。
【００７７】
ＵＥ能力判定部２０４は、ユーザ装置ＵＥから受信したＣＡバンドコンビネーション情報における最上位のＣＡバンドコンビネーションの情報とコンビネーションセットの情報に基づいて、当該ユーザ装置ＵＥがサポートするＣＡバンドコンビネーションを判定（決定）する。
【００７８】
図１４のフローチャートを参照して、基地局ｅＮＢの動作例を説明する。基地局ｅＮＢがユーザ装置ＵＥからＵＬ信号受信部２０２によりＣＡバンドコンビネーション情報を受信する（ステップ２０１）。次に、基地局ｅＮＢのＵＥ能力判定部２０４は、ＣＡバンドコンビネーション情報から最上位のＣＡバンドコンビネーションを把握するとともに、コンビネーションセットの情報を取得する（ステップ２０２）。そして、ＵＥ能力判定部２０４は、最上位のＣＡバンドコンビネーションに対応するテーブルを参照することで、コンビネーションセットに対応する各ＣＡバンドコンビネーションを判断する（ステップ２０３）。
【００７９】
なお、基地局ｅＮＢの機能構成は上記のものに限られるわけではなく、本実施の形態（変形例を含む）で説明する処理を実現できるいかなる構成を採用してもよい。例えば、基地局ｅＮＢとして使用できる基地局は、キャリアアグリゲーションに対応した移動通信システムにおける基地局であって、ユーザ装置から、キャリアアグリゲーションにおける上りリンクのバンドと下りリンクのバンドの組み合わせを識別する組み合わせ識別情報を含むバンド組み合わせ情報を受信する受信部と、各組み合わせ識別情報と、上りリンクのバンドと下りリンクのバンドの組み合わせとを対応付けたテーブル情報を格納する格納部と、前記受信部により受信された前記バンド組み合わせ情報から前記組み合わせ識別情報を取得し、前記テーブル情報を参照することにより、当該組み合わせ識別情報に対応する上りリンクのバンドと下りリンクのバンドの組み合わせを判定する判定部とを備える基地局として構成することができる。
【００８０】
前記組み合わせ識別情報により識別される上りリンクのバンドと下りリンクのバンドの組み合わせは、ユーザ装置におけるキャリアグリゲーション機能の実装難易度に基づき定められた組み合わせである。このような構成により、ユーザ装置におけるキャリアアグリゲーション機能の実装難易度を低減するような組み合わせ識別情報を使用して、ＣＡバンドコンビネーションの能力を基地局に通知する際の信号量を削減することができるようになる。
【００８１】
前記組み合わせ識別情報の有無は、例えば、所定長のビット列において、当該組み合わせ識別情報に対応するビット位置として予め定めたビット位置におけるビットの値により表わされる。このような情報表現を用いることで、少ない情報量で情報を通知でき、信号量を削減できる。
【００８２】
前記受信部は、前記バンド組み合わせ情報として、前記ユーザ装置におけるキャリアアグリゲーションで使用可能なバンドの組み合わせのうちの最上位のバンドの組み合わせと、前記組み合わせ識別情報とを前記ユーザ装置から受信する。このような構成により、ＣＡバンドコンビネーションの通知のための信号量を削減できる。
【００８３】
（変形例１）
これまでに説明した例では、ユーザ装置ＵＥは、ある最上位のＣＡバンドコンビネーションとその全てのサブセットに対応している場合でも、コンビネーションセットの情報を送ることとしている。
【００８４】
このような処理の他、ある最上位のＣＡバンドコンビネーションとその全てのサブセットに対応している場合には、最上位のＣＡバンドコンビネーション情報のみを送ることとし、コンビネーションセットの情報を送らないこととしてもよい。
【００８５】
この場合のユーザ装置ＵＥの動作例を変形例１の動作例として図１５のフローチャートを参照して説明する。例えば、ユーザ装置ＵＥが基地局ｅＮＢと接続するタイミング（ＲＲＣコネクションを設定するタイミング）において、ユーザ装置ＵＥのＵＥ能力情報通知制御部１０４は、ＵＥ能力情報格納部１０３を参照し、自身のＣＡバンドコンビネーションの能力が、最上位のあるＣＡバンドコンビネーションとそのサブセットの全てのＣＡバンドコンビネーションに対応しているか否かを判断する（ステップ３０１）。
【００８６】
ステップ３０１での判断がＹｅｓ（対応している）となる場合、ユーザ装置ＵＥのＵＥ能力情報通知制御部１０４は、最上位のＣＡバンドコンビネーションの情報のみを基地局ｅＮＢに通知すると決定し、最上位のＣＡバンドコンビネーションの情報のみを通知する（ステップ３０２）。
【００８７】
ステップ３０１での判断がＮｏ（全てには対応していない）となる場合、ユーザ装置ＵＥのＵＥ能力情報通知制御部１０４は、最上位のＣＡバンドコンビネーション情報とコンビネーションセットの情報を基地局ｅＮＢに通知すると決定し、これらの情報を通知する（ステップ３０３）。
【００８８】
図１６のフローチャートを参照して、変形例１における基地局ｅＮＢの動作例を説明する。基地局ｅＮＢがユーザ装置ＵＥからＵＬ信号受信部２０２によりＣＡバンドコンビネーション情報を受信する（ステップ４０１）。次に、基地局ｅＮＢのＵＥ能力判定部２０４は、コンビネーションセットの情報を含まないＣＡバンドコンビネーション情報を受信したか否かを判断する（ステップ４０２）。つまり、最上位のＣＡバンドコンビネーション情報のみを受信したかどうかを判定する。
【００８９】
ステップ４０２での判断がＹｅｓ（最上位のみ受信）となる場合、基地局ｅＮＢのＵＥ能力判定部２０４は、ユーザ装置ＵＥが、通知されたＣＡバンドコンビネーションと、当該ＣＡバンドコンビネーションを最上位のＣＡバンドコンビネーションとするそのサブセットの全てのＣＡバンドコンビネーションに対応していると判断する（ステップ４０３）。例えば、ＵＥ能力判定部２０４は、このような判断結果をＤＬ信号送信部２０１、ＵＬ信号受信部２０２に通知し、ＤＬ信号送信部２０１、ＵＬ信号受信部２０２は、必要に応じてＣＡバンドコンビネーション情報格納部２０３を参照することで、具体的なＣＡコンビネーションの情報を取得し、設定に使用する。
【００９０】
ステップ４０２での判断がＮｏ（コンビネーションセットを含む）となる場合、基地局ｅＮＢのＵＥ能力判定部２０４は、ユーザ装置ＵＥが、最上位のＣＡコンビネーションと、コンビネーションセットに対応する各ＣＡバンドコンビネーションをサポートしていると判断する（ステップ４０４）。
【００９１】
（変形例２）
ユーザ装置ＵＥは、これまでに説明したコンビネーションセットの解釈を行わない基地局ｅＮＢに接続することも考えられる。そこで、当該基地局ｅＮＢは、ユーザ装置ＵＥに対して、本実施の形態に係るＣＡバンドコンビネーション情報の解釈機能を備えているか否かを示す情報を通知してもよい。
【００９２】
図１７に、変形例２における動作例を示す。基地局ｅＮＢのセルに在圏したユーザ装置ＵＥは、本実施の形態に係るＣＡバンドコンビネーション情報の解釈機能を備えているか否かを示す報知情報（システム情報）を基地局ｅＮＢから受信する（ステップ５０１）。
【００９３】
報知情報を受信したユーザ装置ＵＥは、報知情報から基地局ｅＮＢが本実施の形態に係るＣＡバンドコンビネーション情報の解釈機能を備えているか否かを判断する（ステップ５０２）。そして、基地局ｅＮＢが当該解釈機能を備えている場合、ユーザ装置ＵＥは、これまでに説明したように、ＣＡバンドコンビネーション情報の通知を行う。すなわち、例えば、最上位のＣＡコンビネーションとコンビネーションセットを含むＣＡバンドコンビネーション情報の通知を行う（ステップ５０３）。
【００９４】
一方、基地局ｅＮＢが当該解釈機能を備えていない場合には、ユーザ装置ＵＥは、既存の方法で通知を行う。つまり、全ての対応しているＣＡバンドコンビネーションについての情報通知を行う（ステップ５０４）。
【００９５】
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。説明の便宜上、ユーザ装置及び基地局は機能的なブロック図を用いて説明されたが、そのような装置はハードウェアで、ソフトウェアで又はそれらの組み合わせで実現されてもよい。本発明の実施の形態に従ってユーザ装置が有するプロセッサにより動作するソフトウェア、及び、基地局が有するプロセッサにより動作するソフトウェアは、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。本発明は上記実施形態に限定されず、本発明の精神から逸脱することなく、様々な変形例、修正例、代替例、置換例等が本発明に包含される。
【符号の説明】
【００９６】
ＵＥ  ユーザ装置
ｅＮＢ  基地局
１０１  ＤＬ信号受信部
１０２  ＵＬ信号送信部
１０３  ＵＥ能力情報格納部
１０４  ＵＥ能力情報通知制御部
１０５  ＣＡ制御部
２０１  ＤＬ信号送信部
２０２  ＵＬ信号受信部
２０３  ＣＡバンドコンビネーション情報格納部
２０４  ＵＥ能力判定部
【図１】
2015173423.tif 000003
【図２】
2015173423.tif 000004
【図３】
2015173423.tif 000005
【図４】
2015173423.tif 000006
【図５】
2015173423.tif 000007
【図６】
2015173423.tif 000008
【図７】
2015173423.tif 000009
【図８】
2015173423.tif 000010
【図９】
2015173423.tif 000011
【図１０】
2015173423.tif 000012
【図１１】
2015173423.tif 000013
【図１２】
2015173423.tif 000014
【図１３】
2015173423.tif 000015
【図１４】
2015173423.tif 000016
【図１５】
2015173423.tif 000017
【図１６】
2015173423.tif 000018
【図１７】
2015173423.tif 000019